(57)【要約】【課題】  リール回転時のモータ駆動による、リールユニットの共振の発生を防止し、良好なリール遊技を行うことのできる遊技機を提供することを目的とする。【解決手段】  例えば、リールユニットを筐体背面側と、一方の筐体内側面側とで固定する２点固定支持構造とすることによって、リールユニットを、少なくとも一つの筐体の内面と、その内面と異なる別の内面にて固定するため、リール回転時のモータ駆動による振動を該支持構造を介して筐体側に吸収させ、散逸させることができる共振防止効果に優れた防振機能を遊技機に付与でき、リールユニット振動やリール回転ブレを生じさせることなく、安定したリール回転動作を行うことができる遊技機の提供が可能になる。【選択図】  図５
2005192928.tif 000002
【特許請求の範囲】
【請求項１】
筐体と、前記筐体の開口部に開閉自在に取り付けられ、リール表示窓が形成された前扉と、外周部に図柄表示部を有したリールを複数個、リール駆動用モータとともに収納したリールユニットとを備え、各リールの図柄表示部が前記リール表示窓に臨む前記筐体内部の取り付け位置に前記リールユニットを固定した遊技機であって、
前記リールユニットを、少なくとも一つの前記筐体の内面と、その内面と異なる別の内面とにおいて固定したことを特徴とする遊技機。
【請求項２】
筐体と、前記筐体の開口部に開閉自在に取り付けられ、リール表示窓が形成された前扉と、外周部に図柄表示部を有したリールを複数個、リール駆動用モータとともに収納したリールユニットとを備え、各リールの図柄表示部が前記リール表示窓に臨む前記筐体内部の取り付け位置に前記リールユニットを固定した遊技機であって、
前記筐体内部に前記リールユニットを載置するためのユニット載置板を設け、
前記リールユニットを、少なくとも一つの前記筐体の内面と、前記ユニット載置板の上面とにおいて固定したことを特徴とする遊技機。
【請求項３】
前記リールユニットの外面と前記筐体の内面との間に緩衝材を介挿させた請求項１又は２記載の遊技機。
【請求項４】
請求項１〜３のいずれかに記載の遊技機であって、遊技者の始動操作に基づいて前記リール駆動用モータを作動させて各リールを回転させた後、遊技者の停止操作に基づいて、内部抽選結果に応じた停止図柄の組み合わせになるようにリール停止制御を行う停止制御手段を有することを特徴とするスロットマシン。
【発明の詳細な説明】
【技術分野】
【０００１】
この発明は、複数個のリールを収納したリールユニットを備えたスロットマシン等の遊技機に関する。
【背景技術】
【０００２】
一般に、この種のスロットマシンにおいては、各リール外周に種々の図柄を配置した複数個のリールを用いている。各リールは回転駆動源であるステッピングモータとともにリール装置を構成する。そして、複数組のリール装置を1つのリールケースに収納してなるリールユニットをスロットマシンの筐体内に据え付けている。
【０００３】
従来、上記のリールユニットの取り付けは、下記特許文献１の特開平４−２４６３８８号公報などに開示されているように、マシン筐体内で棚板状に設置された中仕切り板上にリールユニットを載置し、ユニット底面を中仕切り板にビス止め固定して行われていた。あるいは、中仕切り板を用いず、リールユニットの背面部を筐体内背面板にビス固定してリールユニットを取り付けていた。
【０００４】
【特許文献１】特開平４−２４６３８８
【発明の開示】
【発明が解決しようとする課題】
【０００５】
しかしながら、リールユニットをユニット底面側又は背面側で、１箇所のみにおいて固定していたため、リール回転時のモータ駆動による振動が発生すると、リールユニット全体に伝わって、ユニット底面側又は背面側での固定点を中心に共振する共振現象が発生する問題があった。このような共振現象が発生すると、リール外周に施された図柄が揺れながら移動するため、遊技者が図柄を視認しづらくなったり、正常なリール停止操作を妨げたりする不具合を生じる。殊に、リールユニットを軽量化するために樹脂化した場合には、上記の単一固定点保持では、その軽量性のために、リール回転駆動時に発生する振動により共振しやすい傾向にあった。
【０００６】
この発明は、上記の課題に鑑み、リール回転時のモータ駆動による、リールユニットの共振の発生を防止し、良好なリール遊技を行うことのできる遊技機を提供することを目的とする。
【課題を解決するための手段】
【０００７】
本発明は前記課題を解決するためになされたものであり、本発明の第１の形態は、筐体と、前記筐体の開口部に開閉自在に取り付けられ、リール表示窓が形成された前扉と、外周部に図柄表示部を有したリールを複数個、リール駆動用モータとともに収納したリールユニットとを備え、各リール面が前記リール表示窓に臨む前記筐体内部の取り付け位置に前記リールユニットを固定した遊技機であって、前記リールユニットを、少なくとも一つの前記筐体の内面と、その内面と異なる別の内面とにおいて固定した遊技機である。
【０００８】
本発明の第２の形態は、筐体と、前記筐体の開口部に開閉自在に取り付けられ、リール表示窓が形成された前扉と、外周部に図柄表示部を有したリールを複数個、リール駆動用モータとともに収納したリールユニットとを備え、各リールの図柄表示部が前記リール表示窓に臨む前記筐体内部の取り付け位置に前記リールユニットを固定した遊技機であって、前記筐体内部に前記リールユニットを載置するためのユニット載置板を設け、前記リールユニットを、少なくとも一つの前記筐体の内面と、前記ユニット載置板の上面とにおいて固定した遊技機である。
【０００９】
本発明の第３の形態は、前記第１又は第２の形態において、前記リールユニットの外面と前記筐体の内面との間に緩衝材を介挿させた遊技機である。
【００１０】
本発明の第４の形態は、前記第１〜第３のいずれかの形態にかかる遊技機であって、遊技者の始動操作に基づいて前記リール駆動用モータを作動させて各リールを回転させた後、遊技者の停止操作に基づいて、内部抽選結果に応じた停止図柄の組み合わせになるようにリール停止制御を行う停止制御手段を有するスロットマシンである。
【発明の効果】
【００１１】
本発明の第１の形態によれば、前記リールユニットを、少なくとも一つの前記筐体の内面と、その内面と異なる別の内面にて固定したので、例えば、前記リールユニットを筐体背面部の内面と、筐体の一方の側面部の内面とで固定する２点固定支持構造とするなどして、リール回転時のモータ駆動による振動を該支持構造を介して筐体側に吸収させ、散逸させ得る共振防止効果を奏する。なお、本発明はさらに筐体の他方の側面部の内面や筐体天板部の内面でも固定する３点以上の固定支持構造の共振防止態様を含む。
【００１２】
本発明の第２の形態によれば、前記筐体内部に取り付けたユニット載置板に前記リールユニットを載置してユニット底面を固定し、かつ、少なくとも一つの前記筐体の内面にて固定したので、例えば、前記リールユニットを、筐体に内設したユニット載置板にユニット底部を固定し、かつ一方の筐体内側面側でユニット側部を固定する２点固定支持構造とするなどして、リール回転時のモータ駆動による振動を該支持構造を介して筐体側に吸収させ、散逸させ得る共振防止効果を奏する。本発明はさらに別の筐体内側面側や筐体天板裏側でも固定する３点以上の固定支持構造の共振防止態様を含み、もちろん第１と第２の形態を併用する共振防止態様も可能である。
【００１３】
本発明の第３の形態によれば、前記第１又は２の形態において、前記リールユニットの外面と前記筐体の内面との間に緩衝材を介挿させたので、例えば、上記の２点固定支持構造に加え、該緩衝材によるユニット振動を吸収させることができ、一層の共振防止効果を奏する。
【００１４】
本発明の第４の形態によれば、前記第１〜第３のいずれかの形態にかかる遊技機であって、遊技者の始動操作に基づいて前記モータを作動させて各リールを回転させた後、遊技者の停止操作に基づいて、内部抽選結果に応じた停止図柄の組み合わせになるようにリール停止制御を行う停止制御手段を有するスロットマシンを構成できるため、リール回転時のモータ駆動による、ユニット振動やリール回転ブレのない共振防止機能によって、安定した図柄移動を常時遊技者に視認させることができるといった、良好なスロット遊技性を備えたスロットマシンの提供が可能となる。
【００１５】
本発明におけるリールユニットは、複数個のリールを単一のリールケースに収納する構造形態によるものの他に、各リール毎、個別に収納ケースに収納し、それらを接近並置して連結保持する構造形態のものにも適用できる。後者の場合、例えば前記第１の形態に適用するときは、両端にあるいずれか一つの収納ケースを、筐体の一方の側面部の内面に固定するとよい。
【発明を実施するための最良の形態】
【００１６】
以下、本発明を適用したスロットマシンの実施形態について、図面を参照して説明する。図１は本実施形態によるスロットマシン１の外観正面図である。
【００１７】
前扉２は正面側が開口した筐体９に対してヒンジによって開閉可能に取り付けられており、その中央の正面パネル１０にはリール表示窓３、４、５が並設され、各リール表示窓に対応するようにして筐体９内部に３個のリール６、７、８が並置されている。各リールの外周面には、ボーナス図柄や、チェリー、ベル、スイカといった小役図柄、およびリプレイ図柄などの複数種類の図柄が等間隔に２１個描かれた、図柄表示部としてのリールテープが巻き付けられている。これらの図柄は各リール表示窓３〜５を通してそれぞれ３個ずつ観察される。各リールはそれぞれ後述のステッピングモータ５６〜５８によって駆動される。リール表示窓３〜５には、中央と上下の横３本および斜め右下がりと右上がりの斜め２本の計５本の入賞ラインＬ１〜Ｌ５が印刷によって施されている。また、正面パネル１０の下方には遊技操作部が配置され、この遊技操作部にはメダル投入口１１、投入メダル数を予め記憶したクレジットデータから３枚分のメダル賭け（ベット）を設定するためのマックスベットスイッチ１２、同様に１枚ベットの設定を行うためのベットスイッチ１７、リール回転の始動を指示する始動レバースイッチ１３、リール回転の停止を指示入力するための停止ボタンスイッチ１４〜１６が設けられている。
【００１８】
また、前扉２の上部には遊技関連情報を表示する遊技関連情報表示部２１が設けられている。遊技関連情報表示部２１は、液晶表示装置からなり、ボーナス入賞表示、ボーナスゲーム消化の実行回数、同獲得メダル数、乱数抽選による当選フラグ（ボーナスフラグ、小役フラグなど）の告知演出、当選役報知モード（アシストモード）遊技表示などを液晶画面上で表示し、かつ遊技者が遊技していない未遊技状態のときの集客用デモ表示を遊技機機種名、遊技内容の説明、配当表とともに繰り返し行う。なお、遊技関連情報表示部２１に用いる表示装置としては、液晶表示装置の他に，例えば、７セグメントＬＥＤ表示器、ドットマトリクス表示装置、ＥＬ（エレクトロルミネッセンス）表示装置、補助演出用リール装置、機械的役物装置などを用いることもできる。
【００１９】
前扉２の下部には下部パネル２０が取り付けられており、このパネルには機種名およびイメージデザインが印刷されている。さらに、下部パネル２１の下には、メダル受け皿１９と、筐体９内のメダルホッパ２６から払出されたメダルをメダル受け皿１９に放出するメダル放出口１８が設けられている。
【００２０】
本実施形態で使用するリールユニット６０を図２に示す。リールユニット６０は、それぞれのリール６〜８及びそれぞれの駆動用ステッピングモータ５６〜５８を個別のリール装置として並列収納した合成樹脂製リールケース６２からなる。各リール装置にはステッピングモータ５６〜５８を固定するモータ固定板６３〜６５が設けられている。各リール６〜８の中心部はステッピングモータ５６〜５８の出力軸の先端に固着されている。さらに、モータ固定板６３〜６５にはリール６〜８内部から図柄照明を行うリールバックライト２７（図３）が固定されている。各リール６〜８は、一対の樹脂製リング部材を複数本の連結部材によってドラム状に組まれた枠体を有しており、その枠体の外周部に前述のリールテープを巻き付けることによって構成されている。該リールテープは半透明のＰＥＴシートなどの素材からなり、リールテープ面には図柄が印刷等によって施されている。テープ面に施される各図柄は透光性インクで印刷されている一方、図柄周囲は遮光印刷が形成されている。このような透光性図柄は、リールバックライト２７からの光を受け、図柄部分のみを発光視認可能としている。また、各モータ固定板６３〜６５には、リール回転基準位置検知センサ４１ａ、４１ｂ、４１ｃ（図３）を搭載した基板（図示せず）も取り付けられている。リール回転基準位置検知センサ４１ａ、４１ｂ、４１ｃはホトセンサからなり、これを感知動作させるための遮光片はリール側に一体成型により設けられている。リールバックライト２７は各リールごとに、各々３図柄分を別々に照明する白色ＬＥＤや、豆ランプなどの光源を含む。
【００２１】
次に、本実施形態のスロットマシン１における遊技処理動作を制御する遊技制御部と、これに電気的に接続された周辺装置とを含む構成を図３を参照して説明する。
【００２２】
遊技制御部４０はマイクロコンピュータからなり、予め設定されたプログラムに従って制御動作を行うＣＰＵ２３と、該プログラムの記憶手段であるＲＯＭ２４およびワーキングエリアとしてのＲＡＭ２５を含む。ＲＯＭ２４にはゲーム制御プログラムおよびリール６、７、８の停止制御テーブルなどが格納されている。ＣＰＵ２３には、基準クロックパルスを発生するクロックパルス発生部（図示せず）と、遊技抽選に用いる乱数を発生させ、発生した乱数の中から任意の乱数を抽出する乱数発生部（図示せず）とが接続されている。１回のゲームにつきメダルベットまたはメダル投入を条件とし、かつ始動レバースイッチ１３のオンを契機として上記乱数発生部による乱数抽選が行われる。そして、リール６〜８の回転を停止ボタンスイッチ１４〜１６操作によって停止させたとき、当選図柄がリール表示窓３〜５内の入賞ラインＬ１〜Ｌ５のいずれかに沿って揃うように停止し、特定の表示内容となったとき、入賞となり賞メダルの払出やボーナスゲームなどの特別遊技状態に移行する。ＣＰＵ２３の制御の下で動作制御される制御対象として、各ステッピングモータ５６〜５８、メダルを収納、放出するメダルホッパ２６、スピーカ３７、リールバックライト２７、装飾ランプなどの各種ランプ３９及び遊技関連情報表示部（液晶表示装置）２１があり、これらはそれぞれモータ駆動回路４１、ホッパ駆動回路４２、スピーカ駆動回路４５、リールバックライト駆動回路４３、各種ランプ駆動回路４６および表示制御サブ基板３５によって駆動制御される。これらの駆動回路及び表示制御サブ基板３５はマイコンＩ／Ｏポートを介してＣＰＵ２３に接続されている。表示制御サブ基板３５はＣＰＵ２３の指令を受けて遊技関連情報表示部２１による遊技補助表示等の遊技関連情報を適宜表示制御するサブＣＰＵを有する。なお、スピーカ駆動回路４５、リールバックライト駆動回路４３、各種ランプ駆動回路４６などの周辺駆動回路も表示制御サブ基板３５の管理下で制御するようにしてもよい。
【００２３】
また、ＣＰＵ２３には、マイコンＩ／Ｏポートを介して、始動レバースイッチ１３と、メダル投入口１１から投入されたメダルを検知する投入メダル検知センサ（図示せず）が接続され、それぞれリール回転始動信号、メダル投入信号が入力される。また、上記リール回転基準位置検知センサ４１ａ、４１ｂ、４１ｃによる各リール６〜８の回転基準位置検出に基づいて、各リール６〜８の回転位置を検出するリール位置検出回路４４の回転位置検出信号や、停止ボタンスイッチ１４〜１６の停止信号を検出するリール停止信号回路４７による停止検出信号も入力される。この回転位置検出信号によって、各リールの図柄の位置を認識させ、当選図柄が入賞ライン上に並ぶように引き込む、いわゆる引き込み制御が可能となる。このように、上記回転基準位置検出とＲＯＭ２４のリール停止制御テーブルとに基づいてリール停止制御を行うＣＰＵ２３によって、本発明にかかる停止制御手段が構成される。また、この回転基準位置検出を基にステッピングモータ５６〜５８のリール回転制御が、モータ駆動回路４１によって行われ、遊技中はリール回転速度が一定速度（約８０rpm）に維持される。さらに、図１に示すように、上記遊技操作部の左手前にはクレジット／精算切替スイッチ２８が設けられており、クレジット／精算切替スイッチ２８の操作によるクレジットモード設定時には正面パネル１０の下辺に設けたクレジット数表示部２９にクレジットメダル数が表示され、メダル投入口１１へのメダル投入に代え、ベットスイッチ１２、１７の押下操作により、１回のゲームに１〜３枚のメダルベットを行うことができる。そして、クレジットモード設定時にクレジット／精算切替スイッチ２８を押下すると、クレジットメダルの精算・払出が行われ、メダル投入口１１からのマニュアル投入モードとなり、さらにもう一度押下するとクレジットモードに切り換えることができる。このようなモード設定信号をＣＰＵ２３に入力するためにクレジット／精算切替スイッチ２８も遊技制御部４０に接続されている。また、ホッパ２６のメダル排出位置に設けたメダル排出センサ（図示せず）による払出メダル検知信号を受けて所定数の賞メダルの排出完了を判定するメダル排出完了信号処理回路４８の排出完了信号も遊技制御部４０に入力されている。上記構成の遊技制御部において、各種検知センサ等の外部入力手段および表示制御サブ基板３５を除く、ＣＰＵ２３他の主要な制御部を実装したメイン基板は、制御ボックスケース（図示せず）に格納され、さらに該ケースは筐体６の内部背面に据え付けられている。
【００２４】
上記構成の本実施形態のスロットマシン１における主な遊技処理は以下のようにして行われる。
【００２５】
まず、メダル投入口１１からのメダル投入又は、ベットスイッチ１２、１７によるベット操作によるメダル受け入れ処理を行い、ついで、始動レバースイッチ１３による始動操作による遊技開始操作処理が行われた後に、通常遊技処理、ボーナス入賞時のボーナス遊技処理、又は当選役報知モード遊技処理が行われる。当選役報知モード遊技は、抽選によって当選した小役などの種類を遊技開始とともに報知するアシストモードである。各遊技処理においては、遊技開始操作に伴い抽選処理が実行されるとともにリール回転動作が行われる。そして、遊技者の停止ボタンスイッチ１４〜１６による停止操作タイミングと抽選結果に応じて、ＲＯＭ２４のリール停止制御テーブルを参照してリール停止制御が行われる。
【００２６】
次に、本発明にかかるリールユニット６０の取り付け構造を図２及び図４〜図６を参照して説明する。
【００２７】
筐体９の中ほどには、リールユニット６０の載置板７０が水平に取り付けられている。リールユニット６０は、載置板７０上に載置され、リールケース６２の底板６１のビス穴６６、６７に挿入したビス７１、７２によって、載置板７０にビス止め固定されている。載置板７０に設けたビス７１、７２用のビス穴（図示せず）を前後方向に長い長穴に形成しているため、リールケース６２の据え付け位置を前後方向に若干調整することができる。図２に示すように、リールケース６２の左側面部の手前上方には、ビス穴７６が貫通形成されている。そして、図４及び図５に示すように、長尺状締着部材７３を介してリールケース６２の左側面部が筐体９の左側板面と連結固定されている。筐体９の左側板面には図６に示すように、把手形状の支持金具７４が上辺部でビス８２によって、また下辺部でビス８３、８４によってビス固定されている。支持金具７４の中央面には大円穴部８０と、それに連なる長穴部８１とが開口形成されている。締着部材７３は長尺軸部の一端に形成された抜け止め頭部７７と、他端に形成されたネジ部を有する。抜け止め頭部７７を大円穴部８０より挿入することによって長穴部８１の長手方向に沿って締着部材７３をスライド自在にできる。そして、締着部材７３の他端のネジ部をリールケース６２の左側面部に形成されたビス穴７６に挿入し、ナット７５を該ネジ部に装着し、強固にナット締めすることによってリールケース６２の左側面部が締着部材７３及び支持金具７４を介して筐体９左内側面と固定保持される。リールケース６２の製造時の寸法公差などによりビス穴７６の形成位置が上下に位置ズレしても、長穴部８１の長手方向に沿って締着部材７３がスライド自在になっているので、取り付け作業を簡易に行うことができる。なお、支持金具７４を用いずに、筐体９の左側面板を貫挿させた長尺状ボルトのネジ部の端をビス穴７６に挿入し、ナット締めしてもよい。
【００２８】
上記構成によって、リールユニット６０はリールケース６２の底板６１がビス７１、７２によって載置板７０にビス止め固定され、かつ締着部材７３を介してリールケース６２の左側面部が筐体９の左内側面に固定される２点固定支持構造となっている。したがって、本実施形態によれば、リール６〜８をステッピングモータ５６〜５８により回転駆動させたとき振動が発生しても、上記２点固定支持構造によりその振動を締着部材７３を通じて筐体９左内側面側に吸収させ、散逸させることができ、リールユニット６０全体における共振現象を生じさせない防振構造を実現することができる。これによって、本実施形態にかかるスロットマシンにおいては、リール回転時にリールユニット６０全体がガタついたり、ビビったりすることがなく、遊技者が安定した図柄移動を視認でき、いわゆる目押しと称される停止操作の妨げとなるリールの回転ブレを生じさせずに、常に良好なスロット遊技動作を提供することができる。
【００２９】
次に、本発明の別の実施形態を図７に示す。まず、リールユニット６０は上記実施形態と同様に、ビス７１、７２と締着部材７３による２点固定支持構造となっている。そして、さらにリールケース６２の背面部と筐体９内の背面部との隙間には緩衝部材９０が介挿されている。緩衝部材９０はスポンジ、発泡樹脂や合成ゴム等の弾性材、ポリウレタン樹脂製衝撃吸収材、ブチル系自己粘着型制振材等の緩衝材などからなり、ほぼリールケース６２の背面部全体を覆う大きさを有する。したがって、緩衝部材９０をリールケース６２の背面部と筐体内の背面部との間に緩衝部材９０を介挿することによって、リール６〜８を回転駆動させたときに発生する振動を緩衝部材９０に吸収させ、さらに筐体９の背面板側に散逸させることができるため、上記２点固定支持構造による共振防止効果に加えて、より一層防振性に優れた、リールユニット６０の取り付け構造を実現することができる。なお、緩衝部材９０はリールケース６２の背面部と筐体内の背面部との隙間に緊密に挿入してもよいし、接着剤などで固定保持してもよい。また、図７の場合、ビス７１、７２と締着部材７３による固定支持と併せて３点固定支持構造としているが、本発明は緩衝部材９０をリールユニット６０の一方の固定支持手段とし、例えば、載置板７０への固定とともに２点固定支持としたユニット取り付け形態も含む。
【００３０】
なお、本発明にかかるリール装置は上記実施形態に限定されるものではなく、本発明の要旨を逸脱しない範囲で種々変更することができる。
【産業上の利用可能性】
【００３１】
以上から明らかなように、本発明によれば、例えば、リールユニットを筐体背面側と、一方の筐体内側面側とで固定する２点固定支持のユニット取り付け構造、あるいは前記リールユニットを、筐体に内設したユニット載置板にユニット底部を固定し、かつ一方の筐体内側面側でユニット側部を固定する２点固定支持のユニット取り付け構造を備えるので、リール回転駆動時に発生する振動を筐体の側面板側や背面板側に吸収させ、散逸させることができ、リールユニット振動やリール回転ブレを生じさせることなく、安定したリール回転動作を行うことができる。これによって、スロットマシンなどの遊技機において、リール回転ブレのない遊技状態で遊技者に図柄の視認性に優れ、かつ円滑なリール遊技動作を提供することができる。
【図面の簡単な説明】
【００３２】
【図１】本発明の実施形態であるスロットマシン１の外観斜視図である。
【図２】スロットマシン１のリールユニット６０を示す外観斜視図である。
【図３】スロットマシン１の遊技制御部の主要構成を示すブロック図である。
【図４】リールユニット６０の据え付け状態を示す、スロットマシン１の筐体内部の概略正面図である。
【図５】リールユニット６０の取り付け構造を説明するための、リールユニット６０の左側面部の部分断面図である。
【図６】リールユニット６０の取り付け構造に用いる支持金具７４の正面図である。
【図７】本発明の別の実施形態を説明するための、筐体の概略側断面図である。
【符号の説明】
【００３３】
６、７、８・・・リール
６０・・・リールユニット
６２・・・リールケース
７１、７２・・・ビス
７３・・・締着部材
９０・・・緩衝部材
【図１】
2005192928.tif 000003
【図２】
2005192928.tif 000004
【図３】
2005192928.tif 000005
【図４】
2005192928.tif 000006
【図５】
2005192928.tif 000007
【図６】
2005192928.tif 000008
【図７】
2005192928.tif 000009